(57)【要約】      （修正有）【課題】無料で貸し出される物品の返却を促進する情報送信プログラムを提供する。【解決手段】情報処理端末（ユーザ端末１０）は、無線通信装置を備えた物品（無料傘２０）から送信された物品の識別情報と物品の状態情報とを含む無線信号を受信し、無線信号の受信に応じて、物品の識別情報を含み、かつ、物品の状態情報又は物品の状態情報に応じて定まるメッセージを、他の情報処理端末（ＳＮＳ提供装置３０）による閲覧を許容する情報として、情報の閲覧制御を行う他の情報処理装置に送信する。【選択図】図３
2017049952.tif 000002
【特許請求の範囲】
【請求項１】
情報処理端末に、
無線通信装置を備えた物品から送信された該物品の識別情報と前記物品の状態情報とを含む無線信号を受信し、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する、
処理を実行させることを特徴とする情報送信プログラム。
【請求項２】
前記情報処理端末に、
前記物品から送信された無線信号に基づいて、前記物品の使用終了を検出し、
前記検出に応じて、前記メッセージとは異なり、前記物品の識別情報を含み、かつ、前記物品の使用終了に応じて定まるメッセージを、他の情報処理端末による閲覧を許容する情報として、前記情報処理装置に送信する、
処理を実行させることを特徴とする請求項１に記載の情報送信プログラム。
【請求項３】
前記メッセージ又は前記異なるメッセージは、前記物品の位置情報及び／又は広告情報を含むことを特徴とする請求項１又は２に記載の情報送信プログラム。
【請求項４】
前記物品は傘であり、前記物品の状態情報は前記傘の開閉状態を示すことを特徴とする請求項３に記載の情報送信プログラム。
【請求項５】
情報処理端末において、
無線通信装置を備えた物品から送信された該物品の識別情報を含む無線信号を受信する受信部と、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する通信部とを
備えることを特徴とする情報処理端末。
【請求項６】
情報処理端末が、
無線通信装置を備えた物品から送信された該物品の識別情報と前記物品の状態情報とを含む無線信号を受信し、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する、
処理を実行することを特徴とする情報送信方法。
【発明の詳細な説明】
【技術分野】
【０００１】
本発明は、情報送信プログラム、情報処理端末、及び情報送信方法に関する。
【背景技術】
【０００２】
傘を無料でレンタルするサービスが提供されている（例えば、非特許文献１参照）。このようなサービスによれば、外出時に遭遇した突然の雨を凌ぐためだけに、新たな傘を購入する必要性を低減することができる。
【先行技術文献】
【特許文献】
【０００３】
【特許文献１】特開２０１２−００８６１４号公報
【非特許文献】
【０００４】
【非特許文献１】"タダカサ"、［online］、［平成２７年８月１９日検索］、インターネット〈URL：http://www.zenryoku.co.jp/tada/index.html〉
【発明の概要】
【発明が解決しようとする課題】
【０００５】
しかしながら、無料でレンタルされた傘については、返却率が非常に悪いことが問題視されている。これは、ユーザ（傘を借りる者）が、無料の傘を「借りている」という実感が少なく、返すのを忘れてしまったり、返却するのが面倒になってしまったりすることが一因であると考えられる。
【０００６】
但し、ユーザに記名等を要求して、元の傘立てに必ず傘を返させるような仕組みは、ユーザビリティも悪い上に、ユーザの気分もよくないであろう。
【０００７】
そこで、一側面では、無料で貸し出される物品の返却を促進することを目的とする。
【課題を解決するための手段】
【０００８】
一つの案では、情報送信プログラムは、情報処理端末に、無線通信装置を備えた物品から送信された該物品の識別情報と前記物品の状態情報とを含む無線信号を受信し、前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する、処理を実行させる。
【発明の効果】
【０００９】
一側面によれば、無料で貸し出される物品の返却を促進することができる。
【図面の簡単な説明】
【００１０】
【図１】本発明の実施の形態における傘レンタルシステムの構成例を示す図である。
【図２】本発明の実施の形態におけるユーザ端末のハードウェア構成例を示す図である。
【図３】本発明の実施の形態におけるユーザ端末、無料傘、及びＳＮＳ提供装置の機能構成例を示す図である。
【図４】無料傘の状態検知部の構成例を示す図である。
【図５】ユーザ端末が実行する処理手順の一例を説明するためのフローチャートである。
【図６】傘情報記憶部の構成例を示す図である。
【発明を実施するための形態】
【００１１】
以下、図面に基づいて本発明の実施の形態を説明する。図１は、本発明の実施の形態における傘レンタルシステムの構成例を示す図である。図１において、ユーザ端末１０は、傘レンタルシステムのユーザが利用する情報処理端末である。例えば、スマートフォン又はタブレット端末等が、ユーザ端末１０として利用されてもよい。ユーザ端末１０は、無線通信を介してＳＮＳ提供装置３０と通信可能である。
【００１２】
ＳＮＳ提供装置３０は、ＳＮＳ（Social Networking Service）を提供する１以上のコンピュータである。本実施の形態では、一般的なＳＮＳが利用されてよい。
【００１３】
ユーザ端末１０は、また、近距離無線通信を介して無料傘２０と通信可能である。すなわち、無料傘２０は、通信機能を備える。無料傘２０は、通信機能を介して、その開閉状態をユーザ端末１０に通知可能である。無料傘２０は、ユーザに対して無料で貸し出される傘である。本実施の形態において、無料傘２０の置き場に制限はない。ユーザは、無料傘２０を見つけると、当該無料傘２０を使用することができ、任意の場所で、無料傘２０の使用をやめて、無料傘２０を置き去ることができる。例えば、コンビニエンスストアの傘立てに置かれていた無料傘２０が、ドラッグストアの傘立てに置き去られてもよい。
【００１４】
なお、図１では、便宜上、１つずつのユーザ端末１０及び無料傘２０が示されているが、多数のユーザ端末１０及び多数の傘が、複数箇所に所在してよい。
【００１５】
図２は、本発明の実施の形態におけるユーザ端末のハードウェア構成例を示す図である。図２において、ユーザ端末１０は、ＣＰＵ１０１、メモリ１０２、補助記憶装置１０３、タッチパネル１０４、無線通信装置１０５、近距離通信装置１０６、及びＧＰＳ受信機１０７等を有する。
【００１６】
補助記憶装置１０３は、ユーザ端末１０にインストールされたプログラム等を記憶する。メモリ１０２は、プログラムの起動指示があった場合に、補助記憶装置１０３からプログラムを読み出して記憶する。ＣＰＵ１０１は、メモリ１０２に記憶されたプログラムに従ってユーザ端末１０に係る機能を実現する。
【００１７】
タッチパネル１０４は、入力機能と表示機能との双方を備えた電子部品であり、情報の表示や、ユーザからの入力の受け付け等を行う。タッチパネル１０４は、表示装置１１１及び入力装置１１２等を含む。
【００１８】
表示装置１１１は、液晶ディスプレイ等であり、タッチパネル１０４の表示機能を担う。入力装置１１２は、表示装置１１１に対する接触物の接触を検出するセンサを含む電子部品である。接触物の接触の検出方式は、静電方式、抵抗膜方式、又は光学方式等、公知の方式のいずれであってもよい。なお、接触物とは、タッチパネル１０４の接触面（表面）に接触する物体をいう。斯かる物体の一例として、ユーザの指や専用又は一般のペン等が挙げられる。
【００１９】
無線通信装置１０５は、無線ＬＡＮ（Local Area Network）又は移動体通信網等における通信を行うために必要とされるアンテナ等の電子部品である。無線通信装置１０５は、本実施の形態において、ＳＮＳ提供装置３０との通信に利用される。
【００２０】
近距離通信装置１０６は、例えば、ＮＦＣ（Near field communication）又はＢｌｕｅｔｏｏｔｈ（登録商標）等による近距離無線通信を行うための電子部品である。近距離通信装置１０６は、本実施の形態において、無料傘２０との通信に利用される。ＧＰＳ受信機１０７は、ＧＰＳ（Global Positioning System）衛星からの電波を受信する。
【００２１】
図３は、本発明の実施の形態におけるユーザ端末、無料傘、及びＳＮＳ提供装置の機能構成例を示す図である。
【００２２】
図３において、ユーザ端末１０は、無線信号受信部１１、使用状態判定部１２、照会部１３、紐付け部１４、借り出し処理部１５、返却処理部１６、及び閲覧部１７等を有する。これら各部は、ユーザ端末１０にインストールされた１以上のプログラム（例えば、「傘レンタルアプリ」）が、ＣＰＵ１０１に実行させる処理により実現される。ユーザ端末１０は、また、傘情報記憶部１８及びアカウント情報記憶部１９等を利用する。これら各記憶部は、例えば、メモリ１０２又は補助記憶装置１０３等を用いて実現可能である。
【００２３】
無線信号受信部１１は、無料傘２０からのビーコン（無線信号）を、近距離通信装置１０６を利用して受信する。無料傘２０からのビーコンは、無料傘２０の個体ごとの識別情報（以下、「傘ＩＤ」という。）と、無料傘２０の開閉状態を示す値（以下、「状態値」という。）とを含む。
【００２４】
使用状態判定部１２は、無線信号受信部１１によって受信されるビーコンに含まれる状態値と、傘情報記憶部１８に記憶されている情報とに基づいて、当該ビーコンの送信元の無料傘２０の使用状態を判定する。使用状態とは、無料傘２０が使用されているか否か等を示す情報をいう。
【００２５】
照会部１３は、ビーコンの送信元の無料傘２０が使用されていないことが使用状態判定部１２によって判定された場合に、当該無料傘２０を使用するか（借り出すか）否かをユーザに問い合わせる。紐付け部１４は、無料傘２０を使用することを示す入力がユーザによって行われた場合に、当該無料傘２０に関する情報を傘情報記憶部１８に記憶することで、当該無料傘２０を当該ユーザ端末１０に紐付ける。
【００２６】
借り出し処理部１５は、無料傘２０が開かれた場合（無料傘２０の使用が開始された場合）に、当該無料傘２０を借り出すこと（又は当該無料傘２０が貸し出されること）を示すメッセージ（以下、「借り出しメッセージ」という。）を、ＳＮＳ提供装置３０に送信（投稿）する。
【００２７】
返却処理部１６は、無料傘２０が閉じられた場合（無料傘２０の使用が終了した場合）に、当該無料傘２０を返却すること又は当該無料傘２０の使用が終了したことを示すメッセージ（以下、「返却メッセージ」という。）を、ＳＮＳ提供装置３０に送信（投稿）する。
【００２８】
閲覧部１７は、ＳＮＳ提供装置３０によって提供されるＳＮＳに投稿されているメッセージを、表示装置１１１に表示する。
【００２９】
傘情報記憶部１８は、使用が開始された無料傘２０の傘ＩＤ及び状態値等を記憶する。アカウント情報記憶部１９は、ＳＮＳ提供装置３０によって提供されるＳＮＳに対する、当該ユーザ端末１０のユーザのアカウント情報を記憶する。
【００３０】
ＳＮＳ提供装置３０は、メッセージ受信部３１及び閲覧制御部３２等を有する。これら各部は、ＳＮＳ提供装置３０にインストールされたプログラムが、ＳＮＳ提供装置３０のＣＰＵに実行させる処理により実現される。ＳＮＳ提供装置３０は、また、メッセージ記憶部３３を利用する。メッセージ記憶部３３は、ＳＮＳ提供装置３０の補助記憶装置又はＳＮＳ提供装置３０にネットワークを介して接続可能な記憶装置等を用いて実現可能である。
【００３１】
メッセージ受信部３１は、ユーザ端末１０から送信（投稿）される、ＳＮＳに対するメッセージを受信する。メッセージ受信部３１は、受信したメッセージをメッセージ記憶部３３に記憶する。閲覧制御部３２は、メッセージ記憶部３３に記憶されたメッセージの閲覧を制御する。例えば、閲覧の制御とは、例えば、メッセージの投稿元のユーザ端末１０以外のユーザ端末１０による閲覧の許容や制限等を行うことである。なお、閲覧の制御は、一般的なＳＮＳによって行われているものと同様でよい。
【００３２】
無料傘２０は、状態検知部２１、無線信号送信部２２、及び送信情報記憶部２３等を有する。状態検知部２１は、無料傘２０の開閉を検知するセンサ等である。無線通信送信部は、無料傘２０の開閉状態を示す状態値及び傘ＩＤ等を含むビーコンを送信する通信機器である。送信情報記憶部２３には、ビーコンによって送信される情報を記憶するメモリ等である。例えば、送信情報記憶部２３には、傘ＩＤが記憶されている。
【００３３】
図４は、無料傘の状態検知部の構成例を示す図である。図４には、磁気センサ２１１と磁石２１２とが、状態検知部２１を構成する例が示されている。磁気センサ２１１は、例えば、無料傘２０の柄の部分に設置される。磁石２１２は、無料傘２０を閉じた際に、磁気センサ２１１に近接する部分（例えば、骨の先端付近）に設置される。無料傘２０が閉じられると、磁気センサ２１１は磁界を検出し、無料傘２０が開かれると、磁気センサ２１１は磁界を検出しない。したがって、磁気センサ２１１による磁界の検出の有無によって、無料傘２０の開閉状態を判別することができる。
【００３４】
なお、状態検知部２１は、図４以外の構成を有していてもよい。
【００３５】
以下、ユーザ端末１０が実行する処理手順について説明する。図５は、ユーザ端末が実行する処理手順の一例を説明するためのフローチャートである。図５の説明において対象とされるユーザ端末１０を、「対象端末」という。
【００３６】
無線信号受信部１１は、無料傘２０から送信されるビーコンの受信を待機している（Ｓ１０１）。対象端末を所持しているユーザが、無料傘２０の置かれている場所に近付くと、無線信号受信部１１は、当該無料傘２０（以下、「対象傘」という。）の無線通信送信部２２から送信されているビーコンを受信する（Ｓ１０１でＹｅｓ）。なお、閉じている無料傘２０の無線信号送信部２２からは、対象傘の傘ＩＤと、閉じていることを示す状態値である「０」とを含むビーコンが送信される。
【００３７】
無料傘２０から送信されているビーコンが無線信号受信部１１によって受信されると（Ｓ１０１でＹｅｓ）、使用状態判定部１２は、当該ビーコンに含まれている状態値が０であるか否かを判定する（Ｓ１０２）。すなわち、当該ビーコンの送信元の無料傘２０が閉じているか否かが判定される。
【００３８】
当該状態値が０である場合（Ｓ１０２でＹｅｓ）、使用状態判定部１２は、対象傘が、対象端末のユーザ（以下、「対象ユーザ」という。）によって既に使用中であるか否かを判定する（Ｓ１０３）。後述されるように、使用中の無料傘２０については、当該無料傘２０に関するレコードが傘情報記憶部１８に記憶される。したがって、使用状態判定部１２は、ビーコンの送信元の無料傘２０の傘ＩＤを含むレコードが傘情報記憶部１８に記憶されているかに基づいて、対象傘が対象ユーザによって既に使用中であるか否かを判定する。
【００３９】
対象傘が対象ユーザによって使用中でない場合（Ｓ１０３でＹｅｓ）、照会部１３は、対象傘の存在を検知したことをユーザに通知するための画面（以下、「傘検知画面」という。）を、表示装置１１１に表示する（Ｓ１０４）。傘検知画面には、例えば、対象傘を検知したことを示すメッセージと、対象傘を使用するか否かを示す入力を受け付けるためのボタン等が含まれる。当該メッセージには、対象傘の傘ＩＤが含まれてもよい。なお、使用されていない複数の無料傘２０からのビーコンが受信されている場合、電波が最も強い無料傘２０が対象傘とされてもよい。又は、傘検知画面において、当該複数の無料傘２０のそれぞれの傘ＩＤを選択肢とするリストが表示されてもよい。この場合、各無料傘２０が、いずれの傘ＩＤに対応するものであるのかを識別可能とするために、各無料傘２０には、傘ＩＤを示すラベルが貼付されていてもよい。
【００４０】
対象傘を使用することを示す入力が行われたことが照会部１３によって検知されると（Ｓ１０５でＹｅｓ）、紐付け部１４は、対象傘の傘ＩＤを含むレコードを、傘情報記憶部１８に記憶する（Ｓ１０６）。
【００４１】
図６は、傘情報記憶部の構成例を示す図である。図６に示されるように、傘情報記憶部１８には、使用の対象とされた無料傘２０の傘ＩＤ及び状態値等を記憶する。ステップＳ１０６では、ビーコンに含まれていた状態値である０が記憶される。
【００４２】
なお、対象傘が継続してビーコンを送信することで、他のユーザ端末１０によって対象傘が使用可能であると誤認されないように、紐付け部１４は、対象傘に対して、ビーコンの送信の停止命令を示す無線信号を送信してもよい。対象傘の無線信号送信部２２は、当該無線信号に応じ、状態値が０であるビーコンの送信を停止してもよい。
【００４３】
その後、対象ユーザが、対象傘を開くと、対象傘の無線信号送信部２２は、状態値が１であるビーコンの送信を開始する。１である状態値は、無料傘２０が開いている状態を示す。
【００４４】
対象端末の無線信号受信部１１によって当該ビーコンが受信され（Ｓ１０１でＹｅｓ）、使用状態判定部１２によって、当該ビーコンに含まれている状態値が１であることが判定されると（Ｓ１０２でＮｏ）、使用状態判定部１２は、当該ビーコンの送信元の無料傘２０が、対象ユーザによって使用中の無料傘２０であるか否かを判定する（Ｓ１０７）。すなわち、当該ビーコンに含まれている傘ＩＤを含むレコードが、傘情報記憶部１８に記憶されているか否かが判定される。
【００４５】
当該傘ＩＤを含むレコードが、傘情報記憶部１８に記憶されている場合（Ｓ１０７でＹｅｓ）、使用状態判定部１２は、当該レコードの状態値が０であるか否かを判定する（Ｓ１０８）。すなわち、今まで（当該ビーコンが受信されるまで）対象傘が閉じていたのか否かが判定される。当該レコードの状態値が０である場合（Ｓ１０８でＹｅｓ）、使用状態判定部１２は、ユーザによって対象傘が開かれたことを検出する。そこで、借り出し処理部１５は、借り出しメッセージをＳＮＳ提供装置３０によって提供されるＳＮＳへ投稿する（Ｓ１０９）。投稿に際し、必要に応じてＳＮＳによる認証処理が行われてもよい。この場合、アカウント情報記憶部１９に記憶されているアカウント情報（対象ユーザの識別情報）が利用されてもよい。例えば、アカウント情報が、ＳＮＳ提供装置３０に送信されて、認証に成功した後に、借り出しメッセージが送信されてもよい。なお、借り出しメッセージには、例えば、無料傘２０を借り出したことを示す文字列と、無料傘２０の傘ＩＤと、対象端末のＧＰＳ受信機によって受信されたＧＰＳ信号に基づいて計測された位置情報とが含まれる。例えば、「無料傘（００１）を借りるなう。（緯度，経度）」といったようなメッセージが、借り出しメッセージとして投稿されてもよい。又は、借り出しメッセージは、単に、無料傘２０が開いたことを示すメッセージ若しくは状態値そのものであってもよい。但し、この場合にも、無料傘２０の傘ＩＤが、借り出しメッセージに含まれる。なお、借り出しメッセージは、ＳＮＳの他のユーザから閲覧が許容されるように投稿される。
【００４６】
続いて、借り出し処理部１５は、傘情報記憶部１８に記憶されている、対象傘の傘ＩＤを含むレコードの状態値を１に更新する（Ｓ１１０）。
【００４７】
その後、例えば、雨がやみ、対象ユーザが対象傘を閉じると、対象傘の無線信号送信部２２は、状態値が０であるビーコンの送信を開始する。当該ビーコンが、対象端末の無線信号受信部１１によって受信されると（Ｓ１０１でＹｅｓ）、使用状態判定部１２は、当該ビーコンの状態値が０であり（Ｓ１０２でＹｅｓ）、かつ、当該ビーコンの送信元の無料傘２０が対象ユーザによって使用中であることを判定する（Ｓ１０３でＹｅｓ）。
【００４８】
続いて、使用状態判定部１２は、傘情報記憶部１８において、当該ビーコンに含まれている傘ＩＤを含むレコードの状態値が１であるか否かを判定する（Ｓ１１１）。すなわち、今まで（当該ビーコンが受信されるまで）対象傘が開いていたのか否かが判定される。当該レコードの状態値が１である場合（Ｓ１１１でＹｅｓ）、使用状態判定部１２は、ユーザによって対象傘が閉じられ、対象傘の使用が終了したことを検出する。そこで、返却処理部１６は、返却メッセージをＳＮＳ提供装置３０によって提供されるＳＮＳへ投稿する（Ｓ１１２）。投稿に際し、必要に応じてＳＮＳによる認証処理が行われてもよい。なお、返却しメッセージには、例えば、無料傘２０を返却したことを示す文字列と、無料傘２０の傘ＩＤと、対象端末のＧＰＳ受信機によって受信されたＧＰＳ信号に基づいて計測された位置情報とが含まれる。例えば、「無料傘２０（００１）を返すなう。（緯度，経度）」といったようなメッセージが、返却メッセージとして投稿されてもよい。又は、返却メッセージは、単に、無料傘２０の状態、すなわち、無料傘２０が閉じたことを示すメッセージ若しくは状態値そのものであってもよい。但し、この場合にも、無料傘２０の傘ＩＤは、返却メッセージに含まれる。なお、返却メッセージは、ＳＮＳの他のユーザから閲覧が許容されるように投稿される。
【００４９】
続いて、返却処理部１６は、傘情報記憶部１８に記憶されている、対象傘の傘ＩＤを含むレコードの状態値を削除する（Ｓ１１３）。
【００５０】
なお、ユーザは、無料傘２０の使用を終了した時点において付近に位置するコンビニエンスストアの傘立て等、任意の場所であって、他のユーザが無料傘２０を使用しやすい場所に、無料傘２０を置くことができる。
【００５１】
上述したように、本実施の形態では、無料傘２０が開かれると、借り出しメッセージがＳＮＳに投稿され、無料傘２０が閉じられると、返却メッセージがＳＮＳに投稿される。その結果、無料傘２０を使用中であることが、「暗黙的な社会的監視状態」に置かれる。例えば、借り出しメッセージを閲覧した他のユーザによって、対象ユーザが無料傘２０を借り出したことが知られる。したがって、対象ユーザに対して、無料傘２０を返却しなければいけないという心理的な圧力をかけることができる。その結果、無料傘２０の返却の向促進を期待することができる。
【００５２】
なお、本実施の形態では、無料傘２０が閉じられたことによって、無料傘２０の返却が擬制される。すなわち、返却メッセージの投稿は、必ずしも、ユーザが無料傘２０を返却したこと（他のユーザが使用しやすい場所に置いたこと）を保証するものではない。しかし、例えば、ユーザが、私物のように長期間にわたって同一の無料傘２０の使用を継続した場合、当該無料傘２０が開閉するたびに、同一の傘ＩＤを含む借り出しメッセージ及び返却メッセージが、当該ユーザを投稿者として投稿される。そうすると、ＳＮＳの他のユーザは、当該無料傘２０が私物化されているという疑念を抱くことになる。このような疑念を生じさせたくないという心理が、無料傘２０の私物化に対する抑制力として作用することが期待できる。
【００５３】
また、ユーザが、無料傘２０を廃棄してしまった場合（例えば、駅のゴミ箱等に放置した場合）、当該無料傘２０について、借り出しメッセージが投稿されなくなる。そうすると、当該無料傘２０について、最後に借り出しメッセージ又は返却メッセージを投稿したユーザが、当該無料傘２０を廃棄してしまったのではないかという疑念をＳＮＳの他ユーザに抱かせることになる。このような疑念を生じさせないという心理が、他のユーザによって使用し易い場所に無料傘２０が置かれることの動機付けとして作用することが期待できる。
【００５４】
なお、無料傘２０の送信情報記憶部２３には、無料傘２０のスポンサー等の広告情報が記憶され、無料傘２０からのビーコンには、当該広告情報が含まれるようにしてもよい。この場合、当該広告情報も傘ＩＤに対応付けられて傘情報記憶部１８に記憶され、無料傘２０が開いたときに投稿される借り出しメッセージや、無料傘２０が閉じたときに投稿される返却メッセージには、当該広告情報が含まれるようにしてもよい。そうすることで、無料傘２０のスポンサーを募ることができ、無料傘２０の普及の促進を期待することができる。
【００５５】
また、上記では、無料傘２０の置き場に制限が無い例を説明したが、各地で営業している店舗（例えば、コンビニエンスストアやドラッグストア等）が、無料傘２０の返却場所とされてもよい。この場合、無料傘２０の返却をクーポン化することで、返却の促進及び店舗への集客の促進を期待することができる。
【００５６】
また、無料傘２０に対してエンターテイメント性の高い装飾を施したり、エンターテイメント性の高い機能を実装したりすることで、無料傘２０の利用が促進されてもよい。例えば、無料傘２０に対してイルミネーションが付加されてもよいし、音楽の再生機能が無料傘２０に実装されてもよい。
【００５７】
また、ＳＮＳ提供装置３０のメッセージ記憶部３３に記憶された借り出しメッセージ及び返却メッセージ等を、傘ＩＤをキーとして検索可能とすることで、或る無料傘２０の経歴の閲覧が可能とされてもよい。例えば、傘検知画面において、経歴の参照が指示されると、このような検索が行われ、対象傘の経歴が表示装置１１１に表示されてもよい。各メッセージに含まれている位置情報に基づいて、移動経路が当該経歴として表示されてもよい。また、各メッセージの投稿者のユーザＩＤに基づいて、使用者の履歴が表示されてもよい。そうすることで、ユーザは、目の前に有る無料傘２０について、北海道から東京まで移動したものであることや、過去に著名人が利用したものであること等を知ることができる。
【００５８】
なお、本実施の形態では、ユーザ端末１０が投稿を行う例について説明したが、無料傘２０が投稿を行うようにしてもよい。この場合、複数人によって共用される無料傘２０に対してアカウント情報が公開されるのはユーザによって嫌厭される可能性がある。そこで、無料傘２０毎にＳＮＳに対するアカウントが設けられ、当該アカウントによって投稿が行われるようにしてもよい。この場合、ユーザ端末１０のユーザのユーザＩＤ及び位置情報は、ユーザ端末１０から提供されるようにしてもよい。又は、位置情報については、無料傘２０にＧＰＳ機能が搭載され、当該ＧＰＳ機能によって測位されるようにしてもよい。
【００５９】
また、借り出しメッセージ及び返却メッセージの送信先は、ＳＮＳでなくてもよい。例えば、無料傘２０に関するＷｅｂサイトであってもよい。
【００６０】
また、本実施の形態では、レンタル（貸し出し）の対象の物品が、傘である例について説明したが、傘以外の物品について、本実施の形態が適用されてもよい。例えば、ペン等の文房具や、レンタル自転車等について、本実施の形態が適用されてもよい。ペンであれば、キャップの開け閉めが、傘の開閉に対応してもよい。また、自転車であれば、所定のスタンドからの移動が、傘を開くことに対応し、所定のスタンドへの設置が、傘を閉じることに対応してもよい。
【００６１】
なお、本実施の形態において、傘ＩＤは、物品の識別情報の一例である。ビーコンに含まれる状態値は、物品の識別情報の一例である。借り出しメッセージは、物品の状態情報に応じて定まるメッセージ、他の情報処理端末による閲覧を許容する情報の一例である。返却メッセージは、物品の使用終了に応じて定まるメッセージの一例である。ＳＮＳ提供装置３０は、情報処理装置の一例である。
【００６２】
無線信号受信部１１は、受信部の一例である。借り出し処理部１５は、通信部の一例である。
【００６３】
以上、本発明の実施例について詳述したが、本発明は斯かる特定の実施形態に限定されるものではなく、特許請求の範囲に記載された本発明の要旨の範囲内において、種々の変形・変更が可能である。
【００６４】
以上の説明に関し、更に以下の項を開示する。
（付記１）
情報処理端末に、
無線通信装置を備えた物品から送信された該物品の識別情報と前記物品の状態情報とを含む無線信号を受信し、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する、
処理を実行させることを特徴とする情報送信プログラム。
（付記２）
前記情報処理端末に、
前記物品から送信された無線信号に基づいて、前記物品の使用終了を検出し、
前記検出に応じて、前記メッセージとは異なり、前記物品の識別情報を含み、かつ、前記物品の使用終了に応じて定まるメッセージを、他の情報処理端末による閲覧を許容する情報として、前記情報処理装置に送信する、
処理を実行させることを特徴とする付記１に記載の情報送信プログラム。
（付記３）
前記メッセージ又は前記異なるメッセージは、前記物品の位置情報及び／又は広告情報を含むことを特徴とする付記１又は２に記載の情報送信プログラム。
（付記４）
前記物品は傘であり、前記物品の状態情報は前記傘の開閉状態を示すことを特徴とする付記３に記載の情報送信プログラム。
（付記５）
情報処理端末において、
無線通信装置を備えた物品から送信された該物品の識別情報を含む無線信号を受信する受信部と、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する通信部とを
備えることを特徴とする情報処理端末。
（付記６）
前記物品から送信された無線信号に基づいて、前記物品の使用終了を検出する検出部を有し、
前記通信部は、前記検出に応じて、前記メッセージとは異なり、前記物品の識別情報を含み、かつ、前記物品の使用終了に応じて定まるメッセージを、他の情報処理端末による閲覧を許容する情報として、前記情報処理装置に送信する、
ことを特徴とする付記５に記載の情報処理端末。
（付記７）
前記メッセージ又は前記異なるメッセージは、前記物品の位置情報及び／又は広告情報を含むことを特徴とする付記５又は６に記載の情報処理端末。
（付記８）
前記物品は傘であり、前記物品の状態情報は前記傘の開閉状態を示すことを特徴とする付記７に記載の情報処理端末。
（付記９）
情報処理端末が、
無線通信装置を備えた物品から送信された該物品の識別情報と前記物品の状態情報とを含む無線信号を受信し、
前記無線信号の受信に応じて、前記物品の識別情報を含み、かつ、前記物品の状態情報又は前記物品の状態情報に応じて定まるメッセージを、他の情報処理端末による閲覧を許容する情報として、情報の閲覧制御を行う情報処理装置に送信する、
処理を実行することを特徴とする情報送信方法。
（付記１０）
前記情報処理端末が、
前記物品から送信された無線信号に基づいて、前記物品の使用終了を検出し、
前記検出に応じて、前記メッセージとは異なり、前記物品の識別情報を含み、かつ、前記物品の使用終了に応じて定まるメッセージを、他の情報処理端末による閲覧を許容する情報として、前記情報処理装置に送信する、
処理を実行することを特徴とする付記９に記載の情報送信方法。
（付記１１）
前記メッセージ又は前記異なるメッセージは、前記物品の位置情報及び／又は広告情報を含むことを特徴とする付記９又は１０に記載の情報送信方法。
（付記１２）
前記物品は傘であり、前記物品の状態情報は前記傘の開閉状態を示すことを特徴とする付記１１に記載の情報送信方法。
【符号の説明】
【００６５】
１０          ユーザ端末
１１          無線信号受信部
１２          使用状態判定部
１３          照会部
１４          紐付け部
１５          借り出し処理部
１６          返却処理部
１７          閲覧部
１８          傘情報記憶部
１９          アカウント情報記憶部
２０          無料傘
２１          状態検知部
２２          無線信号送信部
２３          送信情報記憶部
３０          ＳＮＳ提供装置
３１          メッセージ受信部
３２          閲覧制御部
３３          メッセージ記憶部
１０１        ＣＰＵ
１０２        メモリ
１０３        補助記憶装置
１０４        タッチパネル
１０５        無線通信装置
１０６        近距離通信装置
１０７        ＧＰＳ受信機
１１１        表示装置
１１２        入力装置
２１１        磁気センサ
２１２        磁石
【図１】
2017049952.tif 000003
【図２】
2017049952.tif 000004
【図３】
2017049952.tif 000005
【図４】
2017049952.tif 000006
【図５】
2017049952.tif 000007
【図６】
2017049952.tif 000008